(57)【要約】【課題】倉庫等において、物品の受け入れや出荷の際、作業員が個別に物品に設けられた無線タグを読み取らなければならず、また、物品の保管に関し、どこに、何が、何時、いくら保管されているのかが判りづらいという問題がある。【解決手段】管理用データサーバと収納箱を用いて前記収納箱に収納されておりデータキャリアを付した複数の物品を管理する管理システムであって、前記収納箱は、収納している物品に設けられたデータキャリアとの通信を行うためのアンテナ部と、前記アンテナ部を介して前記データキャリアとの通信を行いかつ前記管理用データサーバと通信する機能を有する端末部と、前記アンテナ部と前記端末部とを接続するための接続部とを備えており、前記収納箱に収納されている物品の情報を前記管理用データサーバに送信することで物品の管理を行う。【選択図】図４
2006062811.tif 000002
【特許請求の範囲】
【請求項１】
収納された物品に設けられたデータキャリアと通信を行うためのアンテナ部と、
前記アンテナ部と前記アンテナ部を介して前記データキャリアとの通信を行う端末部とを接続するための接続部とを備えた収納箱。
【請求項２】
収納された物品に設けられたデータキャリアと通信を行うためのアンテナ部と、前記アンテナ部を介して前記データキャリアと通信を行うための端末部と、前記アンテナ部と前記端末部とを接続するための接続部とを備え、前記接続部により前記端末部を着脱可能とした収納箱。
【請求項３】
アンテナ部は複数のアンテナからなり、収納箱は略直方体形状であり、前記収容箱の互いに直交する少なくとも２つの面に各々前記アンテナを設けた請求項１または２記載の収納箱。
【請求項４】
収納箱を構成する１つの面とこの面に対向する面との距離は、前記１つの面に設けられたアンテナの通信可能距離以下である請求項３記載の収納箱。
【請求項５】
管理用データサーバと収納箱を用いて前記収納箱に収納されておりデータキャリアを設けた複数の物品を管理する管理システムであって、
前記収納箱は、
収納している物品に設けられたデータキャリアとの通信を行うためのアンテナ部と、
前記アンテナ部を介して前記データキャリアとの通信を行いかつ前記管理用データサーバと通信する機能を有する端末部と、
前記アンテナ部と前記端末部とを接続するための接続部とを備えており、
前記収納箱に収納されている物品の情報を前記端末部から前記管理用データサーバに送信することで物品の管理を行う管理システム。
【請求項６】
接続部により端末部を収納箱に対して着脱可能とした請求項４記載の管理システム。
【請求項７】
収納箱のアンテナ部は複数のアンテナからなり、収納箱は略直方体形状であり、前記収容箱の互いに直交する少なくとも２つの面にアンテナを設けた請求項４または５記載の管理システム。
【請求項８】
収納箱を構成する１つの面とこの面に対向する面との距離は、前記１つの面に設けられたアンテナの通信可能距離以下である請求項７記載の管理システム。
【発明の詳細な説明】
【技術分野】
【０００１】
本発明は、内部に収納する物品に設けられた無線タグなどのデータキャリアに対して情報の読み取りおよび／または書き込みを行う収納箱と、この収納箱を用いて保管している物品の管理を行う管理システムに関するものである。
【背景技術】
【０００２】
近年、生産工程、在庫管理などのＦＡ分野、商品管理などの流通分野で、物の識別と管理を効率化することを目的として、情報を記録でき、非接触で通信可能なデータキャリアを識別対象物に取り付け、このデータキャリアの情報をアンテナ部や制御部などからなる読み取り／書き込み装置を用いて読み取ることで、識別対象物の識別や在庫管理を行うことが広く知られている（例えば、特許文献１、２および非特許文献１参照）。
【０００３】
図４に、従来のデータキャリア（以下、無線タグ１１と記す。）が保管倉庫１７で物の管理等に用いられる場合の概略構成を示す。図４において、１５は後述する収納箱１０に保管する物品であり、１１は前記物品１５にそれぞれ取り付けられた無線タグであり、１０は前記無線タグ１１を取り付けた物品１５を収納する収納箱である。また、１３は物品１５に取り付けられた無線タグ１１に対して情報の読み取りおよび／または書き込みを行う在庫管理に用いられるシートアンテナ装置であり、シートアンテナ上に位置する物品１５に設けられた無線タグ１１と通信を行うもので、在庫管理等に用いられる。また、１２は無線タグ１１の情報を読み取る機能を有した携帯可能なハンディーターミナル（以下、ＨＨＴと記す。）であり、１４は同様に無線タグ１１の情報を読み取る機能を備えておりゲート形状としたゲートアンテナ装置である。また、１６はＨＨＴ１２やシートアンテナ装置１３等から各々の装置が読み取った無線タグ１１の情報を受信して管理するデータサーバであり、１７は保管倉庫を示している。なお、上記した各構成要素から管理システムが構成されている。
【０００４】
以上のように構成された管理システムについて、その動作を説明する。
【０００５】
保管する物品１５の入荷時や在庫管理時や出荷時には、ＨＨＴ１２を用いて収納箱１０内にある物品１５を取り出すなどして物品１５に付けられいる無線タグ１１のデータを個別に読み取り、適宜データサーバ１６に読み取った情報を送信し、データサーバ１６で物品１５の保管状況や移動状況を管理している。
【０００６】
また、最近では、例えば出荷時において、一括で扱うモノ単位や箱単位で無線タグ１１を設けたモノを台車等で運び、この台車等をゲートアンテナ装置１４に通過させて無線タグ１１と通信することで、個別に物品１５の情報を読み取ること無しに、物品１５の仕様や数量管理等の情報を取得し、無線等の通信手段を用いてゲートアンテナ装置１４からネットワークに繋がっているデータサーバ１６に通信することで効率的な管理を実施している例もある。
【０００７】
また、在庫管理では、シートアンテナ装置１３を活用した事例も用いられている。これは物品１５をシートアンテナ装置１３に載せて保管することで、常時シートアンテナ装置１３から電波を発信して物品１５に設けられた無線タグ１１と通信を行い、物品１５の有無を把握してネットワークに繋がったデータサーバ１６に情報を送信することで物品在庫管理を効率化している。
【特許文献１】特開２０００−２７２７２３号公報
【特許文献２】特開２００２−１７５３５７号公報
【非特許文献１】書籍「これでわかったＲＦＩＤ」社団法人日本自動認識システム協会（平成１５年９月）
【発明の開示】
【発明が解決しようとする課題】
【０００８】
しかしながら、上記従来の管理システムには、以下のような問題があった。
【０００９】
入荷、在庫、出荷時に、個別にＨＨＴ１２を用いて物品１５の数量や仕様等を確認しなければならず、省人化や効率化が難しいという問題がある。
【００１０】
また、ＨＨＴ１２では、必要機能上データの保管と送信は独立機能であり、ＨＨＴ１２で物品１５のデータを取得しても、物品１５が分納される等の何らかの理由で作業員がデータサーバ１６へデータを送信しないと判断する場合がどうしても発生してしまい、物品１５についてリアルタイムで状況を把握することが難しいという問題がある。
【００１１】
また、出荷や受け入れ時では管理責任者が異なる場合が多く、それぞれの場面でその度にＨＨＴ１２を用いて収納する物品１５を個別に把握する必要があり、省人化、効率化が難しいという問題がある。
【００１２】
また、シートアンテナ装置１３の場合、リアルタイムで在庫の把握ができるが、物品１５が重ねて置かれると情報が読み取れない状態となり、また、シートアンテナ装置１３同士を近接して設置すると、相互干渉が発生することから、設置場所の利用効率が悪いなどの問題がある。
【００１３】
また、無線タグ１１は、無線タグ１１の読み取りを行うゲートアンテナ装置１４等の装置に設けられたアンテナが発する電波の面に交差する向きに位置している場合には良好に通信できるが、電波の面に平行になるに従い通信が悪くなる事が広く知られている。そして、ゲートアンテナ装置１４の場合、複数の無線タグ１１の情報を一括して取得可能であるが、電波の面はＸ−Ｙの２次元であり、物品１５の置き方で物品１５に設けられた無線タグ１１の角度が電波と平行に近くなれば通信が困難となる場合もあり、省人化や効率化が難しいという問題がある。
【００１４】
本発明は、物品１５に設けられた無線タグ１１と通信を行うアンテナ部を内蔵している収納箱を用いて収納している物品１５の内容を容易に管理し、かつ、収納箱とデータサーバとの連携が容易な管理システムを提供することを目的とする。
【課題を解決するための手段】
【００１５】
本発明の収納箱は、収納された物品に設けられたデータキャリアと通信を行うために内蔵したアンテナ部と、前記アンテナ部を介して前記データキャリアとの通信を行う収納箱の外側に取り付けられた端末部と、前記アンテナ部と前記端末部を接続するための接続部とからなるものである。
【００１６】
また、本発明の収納箱は、収納された物品に設けられたデータキャリアと通信を行うために内蔵したアンテナ部と、前記アンテナ部を介して前記データキャリアと通信を行う外部に取り付けられた端末部と、前記アンテナ部と前記端末部とを接続するための接続部とを備え、前記接続部により前記端末部を着脱可能とするものである。
【００１７】
また、本発明の管理システムは、管理用データサーバと収納箱を用いて前記収納箱に収納されておりデータキャリアを付した複数の物品を管理するものであって、前記収納箱は、収納している物品に設けられたデータキャリアとの通信を行うためのアンテナ部と、前記アンテナ部を介して前記データキャリアとの通信を行いかつ前記管理用データサーバと通信する機能を有する端末部と、前記アンテナ部と前記端末部とを接続するための接続部とを備えており、前記収納箱に収納されている物品の情報を前記管理用データサーバに送信することで物品の管理を行うものである。
【発明の効果】
【００１８】
以上のように、本発明の収納箱は、内蔵しているアンテナ部とこのアンテナ部に接続してデータキャリアの情報の読み取りを行う端末部とを有している。そして、この収納箱に無線タグを設けた物品を収納することで、受け入れ時や出荷時等に収納箱の中の物品を個別に確認すること無しに一括で内容を把握することができ、また、収容箱により無線タグから取得した物品情報を管理データサーバで管理することで効率的に物品の管理を行うことができる。
【発明を実施するための最良の形態】
【００１９】
以下、本発明を実施するための最良の形態について、図１から図４を用いて説明する。
【００２０】
（実施の形態１）
本発明の実施の形態について、図１と図２を用いて説明する。図１に収納箱４の概略構成を示す。
【００２１】
図１において、１５は収納箱４に収納する物品であり、１１は各物品１５に設けられており各物品１５に関する情報を有する無線タグである。なお、この無線タグ１１は通信を行うためのアンテナ（図示せず）と情報の記憶等を行うＩＣチップ（図示せず）を備えており、ＲＦＩＤタグや非接触ＩＣタグやデータキャリア等と呼ばれるものである。また、図１では、便宜上、収納箱４に２つの物品１５を収納する例を示している。
【００２２】
また、４は物品１５を収納する収容箱であり、この収容箱４は物品１５に設けられた無線タグ１１と通信を行うためのアンテナ部１を内蔵しており、さらに、収納箱４の外部に設けられておりアンテナ部１を介し無線タグ１１と通信（情報のやりとり）を行う端末部２と、前記アンテナ部１と前記端末部２とを接続する接続部３を備えている。なお、端末部２は、アンテナ部１を制御する機能を有している。
【００２３】
以上のように構成された収納箱４について、その動作を説明する。なお、収容箱４の具体例として、収納箱４の３面に印刷で作られたシート状の３つのアンテナをアンテナ部１として設けている場合について説明する。そして、前記３つのアンテナが設けられている３つの面は、アンテナ部１による読み取り方向が３次元状となるように、収納箱４の底面とそれに連続しており各々直交する２つの側面である。
【００２４】
また、収納箱４の外部に位置する端末部２は、電池（図示せず）を内蔵しており、表示機能や外部の機器と通信する機能を有している。そして、アンテナ部１へ信号を出力し、接続部３を介して収納箱４の内部に設置されているアンテナ部１から電波を発信し、収納している物品１５に設けられている無線タグ１１と通信を行い、無線タグ１１から取得した情報を表示させることができる。
【００２５】
また、アンテナ部１はシート状アンテナであり、収納箱４の外部に露出していれば移動の際等に他のものと接触してしまい損傷することも考えられるが、収納箱４の内部に設けることで、前記した接触等により生じる断線等のリスクを軽減することができる。
【００２６】
また、アンテナ部１と端末部２とを接続する接続部３については、収納箱４の端末部２の取り付け面に補強板（図示せず）を設けてそこに取り付け、シート状アンテナの終端の接続を容易にすると共に、ねじれ等に対して強度を有する構造としている。
【００２７】
なお、無線タグ１１については、無線タグ１１のアンテナ（図示せず）がアンテナ部１からの電波の面に交差する向きに位置する場合は良好に通信できるが、電波の面に平行になるに従い通信性能が悪くなる事が知られている。そこで、本実施の形態では、アンテナ部１の通信可能範囲などの特性を把握し、収納箱４の内部全体で無線タグ１１との通信に必要な電波を確保できる寸法で収納箱４が作られている。以下、収納箱４の寸法の例について、図２を用いて説明する。
【００２８】
図２は収納箱４を示しており、（ａ）は正面図、（ｂ）は上面図、（ｃ）は下面図、（ｄ）は背面図、（ｅ）は左側面図、（ｆ）は右側面図である。
【００２９】
図２に示す直方体形状の収納箱４において、この収納箱４の面２１にこの面の外形とほぼ同じ大きさの外形を有する角型のアンテナ（図示せず。）を設けている。なお、このアンテナの通信特性を予め測定して把握しておき、通信可能距離が５０ｃｍ、すなわち、面２１の鉛直方向に対する通信可能距離が５０ｃｍである場合、面２１とこの面２１に対向する面２４までの距離は５０ｃｍ以下とする。このようにすることで、収納箱４内にある物品１５に設けられた無線タグ１１と通信を行うことが可能となる。しかし、上述したように、無線タグ１１のアンテナ（図示せず）の向きにより無線タグ１１の情報が読み取れない場合も生じる。そこで、収納箱４が直方体である場合、互いに直交する３面に各々アンテナを設け、各アンテナが設けられた面と対向する面までの寸法は、このアンテナの通信可能距離以下とする。具体的には、面２１と面２２と面２５に各々アンテナを設け、各々のアンテナの通信可能距離が５０ｃｍ，４０ｃｍ，６０ｃｍである場合、各々の面が対向する面までの距離は各面に設けられたアンテナの通信可能距離以下とする。このように、収納箱４の３面にアンテナ部１を構成する各アンテナを設けてＸ−Ｙ−Ｚの３軸の電波を送信可能としており、収納箱４の寸法はアンテナ部１の通信可能距離以下としているので、収納箱４に収納する物品１５に設けられている無線タグ１１の位置や傾きが物品１５毎に各々異なる場合であっても、無線タグ１１の角度がアンテナ部１からの電波に対して平行になることはなく、無線タグ１１の位置や姿勢に関わらず収納箱４の内部で確実に通信を行うことができる。なお、この場合の収納箱４の寸法は、一例として、５０ｃｍ×４０ｃｍ×６０ｃｍとすればよい。
【００３０】
また、対向する面の両方に各々アンテナを設けるようにしても良い。この場合、例えば互いに対向する位置にある各アンテナの鉛直方向の通信可能距離は、対向する面の距離よりも小さくてもよく、通信範囲を互いに補完できるようになっていればよい。例として、互いに対向する面２１と面２４の各々に設けられたアンテナの通信可能距離が各々２５ｃｍである場合、面２１と面２４との距離は５０ｃｍ以下とすればよい。また、各々の面に設けられたアンテナの通信可能距離が異なる例として、面２１に設けられたアンテナの通信可能距離が４０ｃｍであり、面２４に設けられたアンテナの通信可能距離が２０ｃｍである場合、面２１と面２４との距離は６０ｃｍ以下とすればよい。
【００３１】
本実施の形態では、以上のようにして決められた寸法により収納箱４を作製する。
【００３２】
なお、収納箱４の形状は、直方体に限らず、多角柱や円柱や半球形状等であってもよく、このような場合、例えば全ての面にアンテナを設け、いずれかのアンテナで収納箱４内の無線タグ１１と通信を行うようにしても良い。
【００３３】
上記のような収納箱４を用いることで、特に、倉庫等での物品１５の受け入れ時等に、収納箱４に収納されている物品１５の数量や仕様等の確認を端末部２を用いて一括で行うことができる。
【００３４】
また、収容箱４では、アンテナ部１を内蔵していることから、アンテナ部１を構成するアンテナの損傷などを抑制することができ、複数の収納箱４を重ねて置くことも可能である。
【００３５】
また、収納箱４の外面に、例えば金属箔やアルミ箔のような反射材を設けることで、外部からの電波の干渉を防止することができ、収納箱４を積み重ねて置いても、良好な通信環境を得ることができる。
【００３６】
また、同様に、収納箱４の内面にフェライトやカーボン等の電波吸収材を少なくとも一部設けて使用することで、収容箱４内の電波の多重反射を防止することができ、より良好な通信特性を得ることができる。
【００３７】
なお、本実施の形態では、収納箱４を限られた通信可能な空間として取り扱うことが要点であり、物品１５の収納状態が明確な場合、アンテナ部１として収納箱４内の中央に棒状のアンテナを立てるように設けても良いし、収納箱４の壁面にアンテナを設ける場合は、壁面の一つもしくは複数の壁面に設けてもよい。
【００３８】
以上のように、アンテナ部１の通信性能から寸法を定めており内部にアンテナ部１を有する収納箱４を用いることにより、収納箱４内に収納した物品１５の数量や情報等を一括して把握や管理することができる。特に、倉庫等での受け入れや出荷時の物品の個別管理の効率化を図ることができ、また、収納箱４を重ねて保管することができるので場所の効率化を図ることができる。
【００３９】
（実施の形態２）
本発明の実施の形態について図３を用いて説明する。図３に収納箱の概略構成を示す。なお、本実施の形態において、実施の形態１と同様の構成については同一の番号を付して詳細な説明は省略する。
【００４０】
実施の形態１と異なるのは、収納箱４の外部に取り付けられ端末部５を接続部３から着脱可能とした点である。
【００４１】
以上のように構成された収納箱４について、その動作を説明する。
【００４２】
収納箱４の外部に位置する端末部５から信号を出力し、接続部３を介して収納箱４の内部に設置されているアンテナ部１から電波を発信し、収納している物品１５の無線タグ１１と通信を行い、収納している物品１５の情報を取得して端末部５で表示する。ここで、端末部５の構造について詳述すると、端末部５は折り曲げができるコンセントのような２本のピンを有しており、これらのピンを接続部３の受け手側へ差し込むことでアンテナ部１と接続するものである。
【００４３】
なお、収納箱４に比べて表示機能や制御機能等を有する端末部５は高価である。そこで、端末部５を収納箱４に対して着脱可能とすることで、数量確認等が必要な収納箱４にのみ端末部５を接続して使用することができ、効率的な在庫管理が実現できる。すなわち、全ての収納箱４に端末部５を設けるのではなく、収納箱４より少ない数の端末部５を必要に応じて収納箱４に取り付けて情報の取得等を行うことで、少ない数の端末部５で効率的な管理を行うことができる。
【００４４】
また、収納箱４が常時同じ場所で保管されず、通い箱的に各部門や異なる場所を移動する場合に、端末部５が収納箱４の外部に設けられていれると、収納箱４の移動時の取り扱いに注意が必要となる。しかし、本実施の形態のように、端末部５を収納箱４から着脱可能とすることで、端末部５を接続部３から取り外して収納箱４の内部に入れて送付する、もしくは収納箱４のみを送付することで、収納箱４の取り扱いを容易にすることができる。また、収納箱４の送付先では、同様の端末部５を有しおくことでその端末部５を収納箱４に接続して収納箱４内の情報を読み取ることで、送付されてきた収納箱４に収納されている物品１５を取り出すなどして個別に確認することなく、一括で容易に収納されているものを把握することができる。
【００４５】
以上のように、収納箱４に取り付けられ端末部５を、接続部３を用いて収納箱４から着脱可能とすることで、最低限の端末部５の数で効率的な物品管理が可能となる。
【００４６】
また、端末部５を収納箱４から着脱可能とすることで、収納箱４の移動時に収納箱４の取り扱いが容易となり、かつ端末部５の破損を防止することができる。
【００４７】
また、受け入れ先においても、収納箱４に端末部５を接続することで、収納箱４内の物品１５の内容を個別に確認することなく一括で確認することができ、大幅な省人化や効率化や適切な在庫管理を効率よく実現することができる。
【００４８】
（実施の形態３）
本発明の実施の形態について、図４を用いて説明する。図４に管理システムの概略構成を示す。
【００４９】
なお、本実施の形態において、実施の形態２と同様の構成については同一の番号を付して詳細な説明を省略する。
【００５０】
実施の形態２と異なるのは、複数の収納箱４を管理する管理用データサーバ７を設けて管理システムを構成している点と、収納箱４に取り付けられる端末部６が通信機能を有しており、管理用データサーバ７と通信可能にした点である。
【００５１】
以上のように構成された管理システムについて、その動作を説明する。
【００５２】
まず、例として、収納箱４に収納された物品１５の保管倉庫１７への受け入れ時について説明する。受け入れに関しては、受け入れする者が部材依頼先等に収納箱４を直接送付し、部材依頼先等は受け取った収納箱４に無線タグ１１を取り付けた物品１５を収納して受け入れする者に返送する。そして、この収納箱４の受け入れ現場では、作業者等が返送されてきた収納箱４に端末部６を取り付け、この取り付けた端末部６によって収納箱４内の物品１５に設けられた無線タグ１１と通信を行って一括して物品１５に関する情報を取得する。なお、端末部６は表示機能を有しており、取得した情報を自身が有する表示部に表示させ、受け入れの作業者等は、表示された情報を見ることで収納されている物品１５に関する情報を個別に読み取ることなく一括して確認することができる。
【００５３】
また、受け入れ時に端末部６で読み取った情報は、端末部６から管理用データサーバ７に送信される。なお、保管倉庫１７に物品１５が収納された複数の収納箱４を受け入れ、各収納箱４に取り付けた端末部６で取得した物品１５に関する情報を管理用データサーバ７に送信して記憶しておくことで、管理用データサーバ７により保管倉庫１７内での入荷状況等を一括して確認することが可能となる。
【００５４】
次に、収納箱４に収納した物品１５の保管時について説明する。保管倉庫１７内に保管されている収納箱４に取り付けられている端末部６は、収納箱４に収納されている物品１５に設けられた無線タグ１１と常時通信を行って物品１５の情報を取得している。なお、保管時においては、端末部６は管理用データサーバ７に対して、後述するように必要時に取得した情報を送信する。そして、端末部６から物品１５に関する情報を受信した管理用データサーバ７がその情報を記憶して物品１５の管理を行う。
【００５５】
ここで、端末部６から管理用データサーバ７への情報の送信は、物品１５に設けられた無線タグ１１と常時通信している端末部６が、収納箱４に収納されている、または、収納される物品１５の数量の増減を検知した場合にのみ行い、必要な数量に変化がない場合は管理用データサーバ７へは通信しないものとしている。これは、管理用データサーバ７は様々な管理や処理など多目的に使用される場合が多く、保管倉庫１７内部での通信は基本的には最低限の通信とすることが望ましいためである。
【００５６】
以上のように、物品１５を収納箱４に収納している状態で保管すれば、収納している物品１５が収納箱４から適宜出し入れされても、その収納箱４に取り付けられており収納箱４内の物品１５に付けられた無線タグ１１と常時通信している端末部６が収納箱４内の物品１５の情報を管理用データサーバ７に送信するので、管理用データサーバ７において物品１５の管理を確実かつ容易に行うことができる。
【００５７】
次に、保管倉庫１７内において、物品１５を収納した収納箱４が複数存在し、管理用データサーバ７から必要とする物品１５を検索、出荷する例について説明する。
【００５８】
なお、端末部６は取得した情報等を表示する例えば液晶画面からなる表示部（図示せず）を有しており、管理用データサーバ７からの信号に基づいて前記表示部を点滅させる機能を有している。この機能を利用して、管理用データサーバ７から必要とする物品１５を検索する場合、管理用データサーバ７から保管倉庫１７内の各収納箱４に取り付けられている各端末部６に、必要な物品１５に設けられている無線タグ１１の識別情報が送信される。この識別情報を受信した各端末部６は、この受信した識別情報と取り付けられている収納箱４内の物品１５に取り付けられている無線タグ１１から読み取った識別情報とを比較し、これらが一致した場合に表示部を点滅させる。このようにすれば、必要な物品１５を収納した収納箱４の位置を容易に特定することができ、必要な物品１５の取り出し作業等を容易に行うことができる。
【００５９】
このように、物品１５を収納箱４に収納した状態で管理することで、例えば、異なる収納箱４に収納されている物品１５を異なる収納箱４から各々取り出して出庫する場合などにおいても、各々の物品１５の収納場所を容易に知ることができ、また、物品１５の情報は管理用データサーバ７で管理されているので、物品１５の個数なども容易に把握することができ、従来に比べて容易に物品１５の管理を行うことができる。
【００６０】
また、収納箱４に取り付けられておりこの収納箱４に収納されている物品１５に設けられた無線タグ１１と通信を行うことで物品１５に関する情報を取得する端末部６は、取得した情報を表示部に表示する機能を有している。そして、収納されている物品１５に関する情報を表示部に表示している状態で作業者等が必要とする物品１５を取り出すと、その物品１５に関する情報が表示部から消える、言い換えると物品１５が収納箱４に無い状態に変化する。このようにすれば、一つの収納箱４の中に外観が良く似ている等の類似物品が複数有り、どの物品１５が取り出すべき物品１５であるのか判断が難しい場合でも、端末部６の表示部により取り出した物品１５を確認することができるので、誤った物品１５を取り出してしまうことを防止できる。
【００６１】
また、管理用データサーバ７において、端末部６から受信した各物品１５の情報に、保管期日等の情報を付加して記憶しておくことで、指定期日が来た場合に、指定期日が来た物品１５が何個有るかということを管理データサーバ７で表示させて管理することができる。
【００６２】
また、実施の形態２でも示したように、端末部６を収納箱４から着脱できる構成とし、収納箱４の輸送時に端末部６を収納箱４から外しておけば、輸送時の収納箱４の取り扱いが非常に容易になる。
【００６３】
また、実施の形態２でも示したように、端末部６を収納箱４から着脱できる構成とし、収納箱４に収納した物品１５の保管時に必要な収納箱４にのみ端末部６を取り付けて収納箱４内の物品１５に関する情報を読み取るようにすれば、端末部６を最小限の数にして効率的な管理を行うことができる。
【００６４】
以上のように、収納箱４に取り付けた端末部６と管理用データサーバ７とを通信可能とすることにより、物品１５の受け入れ時や出荷時や保管時等に、何時、どこで、何が、どうなっているか、保管倉庫１７内の物品１５の管理を容易に行うことができ、大幅な省人化や効率化を図ることができる。
【産業上の利用可能性】
【００６５】
本発明の収納箱や管理装置は、アンテナを内蔵した収納箱を用い、収納箱に収納する無線タグを設けた物品の数量や仕様等を容易に把握することができ、物品の管理等に有用である。
【図面の簡単な説明】
【００６６】
【図１】本発明の収納箱の実施の形態１における概略構成を示す図
【図２】本発明の収納箱の実施の形態１における概略構成を示す図
【図３】本発明の収納箱の実施の形態２における概略構成を示す図
【図４】本発明の管理システムの実施の形態３における概略構成を示す図
【図５】従来の管理システムの概略構成を示す図
【符号の説明】
【００６７】
１  アンテナ部
２  端末部
３  接続部
４  収納箱
５  端末部
６  端末部
７  管理用データサーバ
１０  収納箱
１１  無線タグ
１２  ＨＨＴ
１３  シートアンテナ装置
１４  ゲートアンテナ装置
１５  物品
１６  データサーバ
１７  保管倉庫
２１  面
２２  面
２３  面
２４  面
２５  面
２６  面
【図１】
2006062811.tif 000003
【図２】
2006062811.tif 000004
【図３】
2006062811.tif 000005
【図４】
2006062811.tif 000006
【図５】
2006062811.tif 000007